(57)【要約】      （修正有）【課題】紙をフィードする操作の利便性が高く、紙をピックアップする動作の正確性と信頼性が高いピックアップ機構を提供する。【解決手段】サポート部品４０は嵌合部品を押さえ、ピックアップモジュール２０を支え、サポート部品４０により嵌合部品を押さえ、ピックアップモジュール２０を支え、ピックアップモジュール２０が外力作用により下に振れ、紙のフィードを妨害しないようにし、紙をピックアップする時には、嵌合部品は回転し、これによりサポート部品４０を離脱し、ピックアップモジュール２０は下に振れ、紙のピックアップを開始し、これによりピックアップ機構が外力により下に振れないようにし、使用者が紙をフィードする時、紙停止部品３０の力を克服する必要がないため、一枚の紙、或いは枚数が少ない時でも、紙停止部品３０を押し開くことができ、紙のフィード操作が便利となり、紙ピックアップの正確性と信頼性を高めることができる。【選択図】図５
0003173853.tif 000002
【実用新案登録請求の範囲】
【請求項１】
機台、ピックアップモジュール、サポート部品、嵌合部品を備え、
前記ピックアップモジュールは、前記機台に連接し、前記ピックアップモジュールは、ピックアップ部品、分紙部品、ピックアップフレームを備え、
前記ピックアップフレームは、前記分紙部品及び前記ピックアップ部品に連結し、
前記サポート部品は、前記機台上に設置し、
前記嵌合部品は、前記ピックアップ回転軸上に嵌めて設置し、第一位置から第二位置へと回転でき、
前記嵌合部品が第一位置まで回転すると、前記サポート部品は、前記嵌合部品を押さえ、これにより前記ピックアップモジュールをサポートし、
前記嵌合部品が第二位置まで回転すると、前記嵌合部品は、前記サポート部品上から離脱することを特徴とするピックアップ機構。
【請求項２】
前記ピックアップ部品と前記嵌合部品との間は、摩擦力により動力を伝動し、こうして前記嵌合部品を回転させ、
前記摩擦力は、重力、バネ力、或いは制動油により生じることを特徴とする請求項１に記載のピックアップ機構。
【請求項３】
前記ピックアップ部品は、ピックアップ回転軸を備え、
前記ピックアップ回転軸上の前記嵌合部品を接続する一端の円周方向上には、スライド槽を開設し、
前記嵌合部品上には、内向きに、弾力アームを延伸して形成し、前記弾力アーム上には、係合ブロックを突出状に形成し、
前記係合ブロックは、前記スライド槽内に入り、
これにより、前記嵌合部品と前記ピックアップ回転軸との間には、一定の摩擦力を生じることを特徴とする請求項２に記載のピックアップ機構。
【請求項４】
前記ピックアップ部品は、ピックアップ回転軸を備え、
前記嵌合部品は前記ピックアップ回転軸上に接続し、
前記嵌合部品と前記ピックアップ回転軸との間には、バネを設置し、
前記バネは、前記嵌合部品及び前記ピックアップ回転軸とそれぞれ相互に接触し、こうしてその間に一定の摩擦力を生じることを特徴とする請求項２に記載のピックアップ機構。
【請求項５】
前記ピックアップ部品は、ピックアップ回転軸を備え、
前記嵌合部品は前記ピックアップ回転軸上に接続し、
前記嵌合部品と前記ピックアップ回転軸との間には、前記制動油を設置し、
こうして、その間に一定の摩擦力を生じることを特徴とする請求項２に記載のピックアップ機構。
【請求項６】
前記ピックアップ機構はさらに、少なくとも１個の紙停止部品を備え、
前記紙停止部品は、前記機台に接続し、前記ピックアップ部品と前記分紙部品との間に設置し、
前記紙停止部品は、紙の停止に用いる紙停止部を備えることを特徴とする請求項３に記載のピックアップ機構。
【請求項７】
前記サポート部品は、サポート部を備え、
前記サポート部は、前記嵌合部品を押さえ、
これにより、前記ピックアップモジュールを支えることを特徴とする請求項１に記載のピックアップ機構。
【考案の詳細な説明】
【技術分野】
【０００１】
本考案は自動文書フィーダーに用いるピックアップ機構に関し、特にプリンター、スキャナー、コピー機、ファックスなどのオフィス設備に用いるピックアップ機構に関する。
【背景技術】
【０００２】
図１〜４に示すように、従来のピックアップ機構は、機台１０’、ピックアップモジュール２０’、第一停止部２１４’、第二停止部２１５’、少なくとも１個の紙停止部品３０’を備える。
【０００３】
機台１０’は、上蓋１１’を備える。
ピックアップモジュール２０’は、機台１０’上に設置する。
ピックアップモジュール２０’、 ピックアップフレーム２１’、 分紙部品２３’、 ピックアップ部品２４’を備える。
第一停止部２１４’及び第二停止部２１５’は、ピックアップフレーム２１’上に設置する。
【０００４】
紙停止部品３０’は、ピックアップ部品２４’と分紙部品２３’との間に設置し、上蓋１１’に可動状に接続する。
紙停止部品３０’は、紙停止に用いる紙停止部３２’とサポート部３４’を備える。
サポート部３４’は、第一停止部２１４’を可動状に押さえ、ピックアップモジュール２０’を支え(図３参照)、また第二停止部２１５’ を可動状に押さえ、紙停止部品３０’の回転角度を制限する(図２参照)。
【０００５】
しかし、上記したピックアップ機構のピックアップフレーム２１’は、持ち上げられて定位され紙のフィードを準備する状態にある時、ピックアップモジュール２０’が、外力作用により下に下がり紙のフィードを妨害しないよう、紙停止部品３０’のサポート部３４’は、第一停止部２１４’を支える。
そのため、使用者が紙をフィードする時、紙は、サポート部３４’と第一停止部２１４’との間の摩擦力を克服しなければならない。
【０００６】
よって、第一停止部２１４’と紙停止部品３０’のサポート部３４’との間の摩擦力は、一枚一枚の紙のフィードに影響を及ぼす可能性がある。
なぜなら、一枚一枚の紙の押す力は弱いため、この摩擦力を克服できないことで、紙停止部品３０’の紙停止部３２’を押すことができない可能性がある。
こうして、サポート部３４’を、第一停止部２１４’から離れさせる。
サポート部３４’が、第一停止部２１４’を離れることができなければ、下方へと下がり紙をピックアップすることができない。
しかも、ピックアップ機構が比較的大きな外力を受け、この摩擦力を克服してしまえば、ピックアップモジュール２０’は、衝突、或いは機台の振動により落下する恐れがある。
こうして、紙をフィードする操作に不便となり、紙をピックアップする機能に影響を及ぼしてしまう。
本考案は、従来のピックアップ機構の上記した欠点に鑑みてなされたものである。
【考案の概要】
【考案が解決しようとする課題】
【０００７】
本考案が解決しようとする課題は、紙をフィードする操作の利便性が高く、紙をピックアップする動作の正確性と信頼性が高いピックアップ機構を提供することである。
【課題を解決するための手段】
【０００８】
上記課題を解決するため、本考案は下記のピックアップ機構を提供する。
ピックアップ機構は、機台、ピックアップモジュール、サポート部品、嵌合部品、ピックアップフレームを備え、
該ピックアップフレームは、ピックアップ部品と分紙部品を連結し、
該ピックアップモジュールは、該機台に連接し、該ピックアップモジュールは、ピックアップ部品、分紙部品を設置し、
該サポート部品は、該機台上に設置し、
該嵌合部品は、該ピックアップ部品上に嵌めて設置し、第一位置から第二位置へと回転でき、
該嵌合部品が第一位置まで回転すると、該サポート部品は、該嵌合部品を押さえ、これにより該ピックアップモジュールをサポートし、
該嵌合部品が第二位置まで回転すると、該嵌合部品は、該サポート部品上から離脱し、
ピックアップ機構は、該サポート部品により該嵌合部品を通して、該ピックアップモジュールを支え、該紙停止部品により該ピックアップモジュールを支える従来の技術とは異なるため、該ピックアップが作動しない時には、該ピックアップモジュールは、該サポート部品により支えられるため、
該ピックアップモジュールが外力作用により下に振れ、紙のフィードを妨害することを防止でき、
紙をピックアップする時には、該嵌合部品は反対方向へと回転し、これにより該サポート部品を離脱し、こうして該ピックアップモジュールは下に振れ、紙のピックアップを開始し、
従来の技術とは異なり、該ピックアップ機構が外力により下に振れないようにし、
使用者が紙をフィードする時には、該紙停止部品の力を克服する必要がないため、一枚の紙、或いは枚数が少ない時でも、該紙停止部品を押し開くことができ、紙のフィード操作が便利となり、紙ピックアップの正確性と信頼性を高めることができる。
【考案の効果】
【０００９】
本考案のピックアップ機構は、紙をフィードする操作の利便性が高く、紙をピックアップする動作の正確性と信頼性が高い。
【図面の簡単な説明】
【００１０】
【図１】従来のピックアップ機構の部分立体分解図である。
【図２】図１に示すピックアップ機構の側視図である。
【図３】図１に示すピックアップ機構の別の状態の側視図である。
【図４】図１に示すピックアップ機構の立体図である。
【図５】本考案のピックアップ機構の側面部分断面図である。
【図６】図５に示すピックアップ機構の部分立体図である。
【図７】図５に示すピックアップ機構のピックアップモジュール、紙停止部品、及びサポート部品の分解図である。
【図８】図５に示すピックアップ機構の嵌合部品の立体図である。
【図９】図５に示すピックアップ機構において、ピックアップモジュールを高位置まで持ち上げた状態を示す模式図である。
【図１０】図５に示すピックアップ機構において、ピックアップモジュールを安定位置まで持ち上げた状態を示す模式図である。
【図１１】図５に示すピックアップ機構において、ピックアップモジュールが上に振れる、或いは下に振れる際の中間過程状態を示す模式図である。
【図１２】図５に示すピックアップ機構のピックアップモジュールが、紙のピックアップを始める状態を示す模式図である。
【考案を実施するための形態】
【００１１】
以下に図面を参照しながら本考案を実施するための最良の形態について詳細に説明する。
【００１２】
図５、６に示すように、本考案ピックアップ機構の第一実施例は、機台１０、ピックアップモジュール２０、２個の紙停止部品３０、少なくとも１個のサポート部品４０、紙センサー(図示なし)を備える。
機台１０は、上蓋１１を備える。
【００１３】
図６、７に示すように、ピックアップモジュール２０は、上蓋１１に設置する。
ピックアップモジュール２０は、ピックアップフレーム２１、分紙回転軸２３１、分紙部品２３、ピックアップ部品２４を備える。
分紙回転軸２３１は、上蓋１１に設置する。
分紙回転軸２３１の右端は、動力源(図示なし)と連接し、ピックアップモジュール２０を駆動する。
本実施例において、動力源は、ギアにより伝送されるが、実施時には、動力源は、モーター、伝動ギアユニットなどを備え、モーターの動力は、ギアにより、分紙回転軸２３１に伝達される。
【００１４】
分紙部品２３は、別のガード部品(図示なし)と共同で作用し、ピックアップ部品２４により分紙部品２３に持ち込まれる多数枚の文書を、一枚の紙に分離し、さらに、この一枚の紙を下流へと運び前進させる。
分紙部品２３は、分紙ベルト、或いは分紙ホイールである。
分紙部品２３は、分紙回転軸２３１を備える。
分紙回転軸２３１上には、分紙ローラー２３２を嵌めて設置する。
分紙ローラー２３２は通常、ゴムなどの摩擦係数が高い材料により製造される。
モーターの動力は、分紙回転軸２３１に伝えられた後、さらに、分紙回転軸２３１により、分紙ローラー２３２の回転を連動する。
【００１５】
図６、７に示すように、ピックアップフレーム２１は、分紙部品２３及びピックアップ部品２４に連接する。
ピックアップ部品２４は、ピックアップ機構の紙フィードトレー(図示なし)上においてある文書に接触し、下流の分紙部品２３への移動を連動する。
ピックアップ部品２４は、ピックアップベルト、或いはピックアップホイールである。
ピックアップ部品２４は、ピックアップ回転軸２４１を備える。
ピックアップ回転軸２４１上には、ピックアップローラー２４２を嵌めて設置する。
ピックアップローラー２４２は通常、ゴムなどの摩擦係数の高い材料により製造する。
【００１６】
ピックアップフレーム２１は、ピックアップ部品２４の一端にガード片２７を設置する。
ピックアップ部品２４の一端は、円筒状の嵌合部品２５に回転可能な状態で嵌めて設置する。
ピックアップ部品２４と嵌合部品２５との間は、摩擦力により動力を伝動し、こうして嵌合部品２５を回転させ、摩擦力は、重力、バネ力、或いは制動油により生じる。
嵌合部品２５は、ピックアップ回転軸２４１上に嵌めて設置し、嵌合部品２５は、第一位置から第二位置へと回転できる。
ピックアップ回転軸２４１上の嵌合部品２５を接続する一端の円周方向上には、スライド槽２８を開設する。
嵌合部品２５片側端は、停止片２５１を外向きに突出して形成する。
嵌合部品２５上には、内向きに、弾力アーム２５２を延伸して形成する。
弾力アーム２５２上には、係合ブロック２５３を突出状に形成する。
係合ブロック２５３は、スライド槽２８内に入り、これにより嵌合部品２５とピックアップ回転軸２４１との間には、一定の摩擦力が生じる。
嵌合部品２５とピックアップ回転軸２４１との間には、制動油を設置し、こうして、その間に一定の摩擦力を生じる。
【００１７】
嵌合部品２５とピックアップ回転軸２４１との間は、摩擦力による伝動力で、嵌合部品２５を回転させる。
ピックアップフレーム２１は、ピックアップ部品２４と分紙部品２３との間に、ガードブロック２９を設置する。
【００１８】
ピックアップ回転軸２４１上の、ピックアップローラー２４２と嵌合部品２５との間には、ピックアップ回転軸２４１に相対して一定角度の回転を行う境界制限部品２６を設置する。
境界制限部品２６は、環状で開口を備える固定リング２６１、及び固定リング外側面から外へと延伸し形成する押さえ部２６２を備える。
固定リング２６１は、ピックアップ回転軸２４１上に設置する。
ガード片２７は、固定リング２６１の開口位置に入り、しかも固定リング２６１は、ピックアップ回転軸２４１を取り囲み回転する。
これにより、固定リング２６１の開口両端は、ガード片２７を押さえる。
こうして、境界制限部品２６の回転角度を制限する。
【００１９】
分紙回転軸２３１は、動力源に連接する。
分紙回転軸２３１により、動力を分紙部品２３に伝達する。
動力伝達ユニット２２は、分紙部品２３とピックアップ部品２４に連接し、動力を、分紙部品２３により、ピックアップ部品２４に伝達する。
実際の使用時には、動力伝達ユニットは、ベルト或いはギアユニットなどである。
【００２０】
図５〜７に示すように、紙停止部品３０は、境界制限部品２６の押さえ部２６２に可動状に接触する。
紙停止部品３０は、可動接続部３１、可動接続部３１底端から下方へと延伸し形成する紙停止部３２、可動接続部３１から上方へと延伸して形成する停止部３３を備える。
停止部３３は、押さえ部２６２に可動状に接触する。
押さえ部２６２は、ピックアップ回転軸２４１を取り囲んで回転し、紙停止部品３０の停止部３３を可動状に押さえる。
【００２１】
サポート部品４０一端は、機台１０の上蓋１１に接続する。
サポート部品４０は、サポート部４１を備える。
嵌合部品２５が第一位置まで回転すると、サポート部品４０のサポート部４１は、嵌合部品２５を押さえ、これによりピックアップモジュール２０をサポートする。
こうして、ピックアップモジュール２０は、持ち上がった後の紙フィードを準備する位置を保持することができる。
嵌合部品２５が第二位置まで回転すると、嵌合部品２５は、サポート部品４０のサポート部４１上から離脱する。
紙センサー(図示なし)は、機台１０の上蓋１１に設置し、紙フィードトレーに紙があるかどうかを感知する。
【００２２】
本考案ピックアップ機構の作動過程を、以下に説明する。
図９、１０に示すように、紙送り動作が完了すると、紙フィードトレーに紙を入れる前に、システムは、紙フィードトレー内に紙がないことを紙センサーにより感知する。
分紙回転軸２３１は、動力源により、下反転(時計回り)に駆動され、ピックアップモジュール２０前端のピックアップ部品２４を連動し、高い位置まで上げる。
嵌合部品２５の停止片２５１は、サポート部品４０のサポート部４１上方に停止しているため、ピックアップモジュール２０が外力を受け、或いは振動により下へと移動する時、サポート部４１は、停止片２５１下側に接触し、停止片２５１を支える。
嵌合部品２５の停止片２５１が時計回りに回転する時、サポート部品４０のサポート部４１左側にぶつかると回転を停止する。
ピックアップフレーム２１が上昇し、停止片２５１がサポート部４１まで上がる(図９参照)と、サポート部４１上端を越える。
【００２３】
停止片２５１は、時計回り回転を続け、停止片２５１右側がサポート部４１の陥没部(図示なし)に入ると、停止する(図１０参照)。
この時、紙フィードトレーには紙がなく、ピックアップモジュール２０は、紙フィードの準備状態にある。
サポート部品４０により、嵌合部品２５の停止片２５１を押さえ、これによりピックアップモジュール２０を支え、ピックアップ部品２４が、衝突、或いは機台の振動を受け、下方へと移動しないようにする。
こうして、使用者が紙をフィードする際に、ピックアップモジュール２０が紙フィードを準備する高い位置にある時、ピックアップモジュール２０が下に下がり、ピックアップ部品２４の前を遮り、紙のピックアップを妨害しないようにすることができる。
【００２４】
図１１、１２に示すように、紙のフィードが完了すると、使用者はボタン、コンピューター、或いは他の方式を通して、フィード指令を伝送する。
これにより、動力源は、分紙回転軸２３１を正回転(逆時計回り)させる。
すると、ピックアップモジュール２０前端は下方へと振れ、ピックアップ部品２４を連動し下へ向かわせる。
同時に、嵌合部品２５の停止片２５１を連動し、サポート部品４０のサポート部４１から離脱させる(図１１参照)。
これにより、ピックアップモジュール２０は下方へと移動し、紙のピックアップ動作を行う。この時、ピックアップ部品２４は、境界制限部品２６を連動し、紙停止部品３０の停止部３３を離脱させる。
しかも、ガードブロック２９は、紙停止部品３０上端の突出部を下方へと押す。
これにより、紙停止部３２は、紙停止部品３０の逆時計回り回転により起き上がり、紙は紙停止部品３０を通過する(図１２参照)。
【００２５】
すべての紙が紙フィード装置を通過し、紙フィードトレー内に紙がなくなると、紙センサーは、紙フィードトレー内に紙がないことを感知する。
すると、動力源は分紙回転軸２３１を再度連動し、時計回りに反転させ、ピックアップフレーム２１を連動して上昇させる。
嵌合部品２５の停止片２５１が時計回りに回転し、サポート部品４０のサポート部４１左側に接触し、回転を停止すると、ピックアップフレーム２１は上昇を持続する。
停止片２５がサポート部４１まで上昇(図９参照)すると、サポート部４１上端を越える。
【００２６】
停止片２５１は、時計回りの回転を続け、停止片２５１の右側がサポート部４１の陥没部(図示なし)に入ると、停止する(図１０参照)。
この時、ピックアップフレーム２１は高い位置まで上がっており、紙フィード機構は紙フィードの準備状態を回復し、次の紙フィードに有益となる。
【００２７】
図１０に示すように、ピックアップフレーム２１が高い位置まで上がると、停止片２５１の右側はサポート部４１の陥没部に入り、サポート部品４０により、嵌合部品２５の時計回りの回転を抑える。
サポート部品４０の阻害力は、嵌合部品２５とピックアップ回転軸２４１との間の摩擦力より大きい。
この時、ピックアップ回転軸２４１が時計回りの回転を継続しても、嵌合部品２５が一緒に回転することはない。
【００２８】
上記したように、本考案ピックアップ機構は、紙フィードの準備状態にある時、サポート部品４０は、嵌合部品２５の停止片２５１を押さえ、これによりピックアップモジュール２０を支える。
こうして、従来の技術では、紙停止部品を利用してピックアップモジュール２０を支えていたが、これに置換することができる。
嵌合部品２０の回転により、停止片２５１は、サポート部品４０のサポート部４１の上方まで回転する。
こうして、ピックアップモジュール２０が作動しない時、ピックアップモジュール２０は、サポート部品４０により支えられ、ピックアップモジュール２０が外力作用により下方へと振れ、紙のフィードを妨害することを防止することができる。
【００２９】
紙をピックアップする時には、嵌合部品２５は、反対方向(逆時計周り)へと回転し、停止片２５１をサポート部４１の下方へと回転させる(図１１参照)。
こうして、ピックアップモジュール２０は、下方へと振れることができ、紙のピックアップを始めることができる。
従来の技術では、使用者が紙をフィードする時には、紙停止部品３０の力を克服する必要があるが、それを回避でき、一枚一枚の紙では紙停止部品３０を押し開くことができないという問題を解決することができる。
こうして、紙のフィード操作の便を図り、紙をピックアップする動作の正確性と信頼性を高めることができる。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００３１】
１０    機台
１１    上蓋
１２    停止ブロック
２０    ピックアップモジュール
２１    ピックアップフレーム
２２    動力伝達ユニット
２３    分紙部品
２３１  分紙回転軸
２３２  分紙ローラー
２４    ピックアップ部品
２４１  ピックアップ回転軸
２４２  ピックアップローラー
２５    嵌合部品
２５１  停止片
２５２  弾力アーム
２５３  係合ブロック
２６    境界制限部品
２６１  固定リング
２６２  押さえ部
２７    ガード片
２８    スライド槽
２９    ガードブロック
３０    紙停止部品
３１    可動接続部
３２    紙停止部
３３    停止部
４０    サポート部品
４１    サポート部
【図１】
0003173853.tif 000003
【図２】
0003173853.tif 000004
【図３】
0003173853.tif 000005
【図４】
0003173853.tif 000006
【図５】
0003173853.tif 000007
【図６】
0003173853.tif 000008
【図７】
0003173853.tif 000009
【図８】
0003173853.tif 000010
【図９】
0003173853.tif 000011
【図１０】
0003173853.tif 000012
【図１１】
0003173853.tif 000013
【図１２】
0003173853.tif 000014